(57)【要約】【課題】確実に偽造を防止できるラベルシート及びラベルシートの真贋判定システムを提供する。【解決手段】可視光とは異なる波長の光の照射により目視可能となる蛍光繊維６２Ａが含まれた粘着ラベル６０Ａを備えてなるラベルシート６０に可視光とは異なる波長の光を照射して電子的な第１の画像情報を取得する第１の画像情報取得装置４０と、第１の画像情報取得装置４０によって取得した第１の画像情報のうち、粘着ラベル６０Ａに対応する領域の基準画像情報を予め記憶するハードディスク装置１２と、真贋を判定すべき粘着ラベル６０Ａに可視光とは異なる波長の光を照射して電子的な第２の画像情報を取得する第２の画像情報取得装置１４０と、第２の画像情報を、ハードディスク装置１２に記録された基準画像情報と比較して両者が一致するか否かを判定するＣＰＵ１１１と、を備えたラベルシート６０の真贋判定システム。【選択図】図３
2010182249.tif 000002
【特許請求の範囲】
【請求項１】
可視光とは異なる波長の光の照射により目視可能となる蛍光性物質が含まれた粘着ラベルを備えてなるラベルシートに可視光とは異なる前記波長の光を照射して電子的な第１の画像情報を取得する第１の画像情報取得装置と、
前記第１の画像情報取得装置によって取得した前記第１の画像情報のうち、前記粘着ラベルに対応する領域の基準画像情報を予め記憶する記憶装置と、
真贋を判定すべき粘着ラベルに可視光とは異なる前記波長の光を照射して電子的な第２の画像情報を取得する第２の画像情報取得装置と、
前記第２の画像情報を、前記記憶装置に記録された前記基準画像情報と比較して両者が一致するか否かを判定する画像情報判定装置と、を備えたラベルシートの真贋判定システム。
【請求項２】
請求項１に記載のラベルシートの真贋判定システムにおいて、
前記記憶装置には、前記粘着ラベルに設定された視認可能な識別記号が前記基準画像情報と対応づけて記憶され、
前記画像情報判定装置は、前記真贋を判定すべき粘着ラベルに設定された前記識別記号に対応する前記基準画像情報と、前記第２の画像情報とを比較して両者が一致するか否かを判定することを特徴とするラベルシートの真贋判定システム。
【請求項３】
請求項１又は２に記載のラベルシートの真贋判定システムにおいて、
さらに、前記第１の画像情報取得装置により前記第１の画像情報を取得する前の前記ラベルシートに画像を形成するための画像形成装置を有するラベルシートの真贋判定システム。
【請求項４】
請求項１ないし３のいずれか一項に記載のラベルシートの真贋判定システムにおいて、
前記蛍光性物質は、前記粘着ラベルごとに異なる偶発的な配列をなし、前記粘着ラベルに含まれていることを特徴とするラベルシートの真贋判定システム。
【請求項５】
可視光とは異なる波長の光の照射により目視可能となる蛍光性物質が含まれた粘着ラベルを備えてなるラベルシートに可視光とは異なる前記波長の光を照射して電子的な画像情報を取得する画像情報取得装置と、
前記画像情報取得装置によって取得した画像情報のうち、前記粘着ラベルに対応する領域の基準画像情報と前記粘着ラベルに対応する識別記号とを、互いに対応づけて記憶する記憶装置と、を備えた基準画像取得装置。
【請求項６】
真贋を判定すべき粘着ラベルに可視光とは異なる波長の光を照射して電子的な画像情報を取得する画像情報取得装置と、
可視光とは異なる前記波長の光の照射により目視可能となる蛍光性物質が含まれた粘着ラベルに可視光とは異なる前記波長の光を照射して予め取得された基準画像情報と前記画像情報とを比較して両者が一致するか否かを判定する画像情報判定装置と、を備えた真贋判定装置。
【請求項７】
基材シートの一方の面に粘着剤層が形成されてなる粘着ラベルと、剥離層が前記粘着剤層に重ねられた剥離シートとを備えるラベルシートであって、
前記粘着ラベルには、可視光とは異なる波長の光の照射により目視可能となる蛍光性物質が偶発的な配列をなして含まれていることを特徴とするラベルシート。
【発明の詳細な説明】
【技術分野】
【０００１】
本発明は、ラベルシートの真贋判定システム、基準画像取得装置、真贋判定装置及びそれらに用いるラベルシートに関する。
【背景技術】
【０００２】
従来より、商品が真正品であることを保証するためのラベルシートとして、例えば特許文献１に記載のホログラム付きラベルが知られている。このようなホログラム付きラベルは、光の干渉を利用した立体的な模様が表示されるもので、製造に高度な技術を要することから、ラベルの偽造を行いにくく、例えば製品のシリアル番号を表示するシリアルラベルなどに用いられている。
【先行技術文献】
【特許文献】
【０００３】
【特許文献１】特開２００７−８６２５２号公報
【発明の概要】
【発明が解決しようとする課題】
【０００４】
しかしながら、ホログラム付きラベルは高度な製造技術があれば偽造されてしまう可能性がある。また、製造に高度な技術を要するため、製造コストが高くなってしまう。
【０００５】
本発明は上記のような事情に基づいて完成されたものであって、より確実に偽造を防止できるラベルシート及びラベルシートの真贋判定システムを提供することを目的とする。
【課題を解決するための手段】
【０００６】
本発明は、可視光とは異なる波長の光の照射により目視可能となる蛍光性物質が含まれた粘着ラベルを備えてなるラベルシートに可視光とは異なる前記波長の光を照射して電子的な第１の画像情報を取得する第１の画像情報取得装置と、前記第１の画像情報取得装置によって取得した前記第１の画像情報のうち、前記粘着ラベルに対応する領域の基準画像情報を予め記憶する記憶装置と、真贋を判定すべき粘着ラベルに可視光とは異なる前記波長の光を照射して電子的な第２の画像情報を取得する第２の画像情報取得装置と、前記第２の画像情報を、前記記憶装置に記録された前記基準画像情報と比較して両者が一致するか否かを判定する画像情報判定装置と、を備えたことに特徴を有する。
【０００７】
本発明の実施態様として、以下の構成とすることが好ましい。
前記記憶装置には、前記粘着ラベルに設定された視認可能な識別記号が前記基準画像情報と対応づけて記憶され、前記画像情報判定装置は、前記真贋を判定すべき粘着ラベルに設定された前記識別記号に対応する前記基準画像情報と、前記第２の画像情報とを比較して両者が一致するか否かを判定することを特徴とする。このような構成としておけば、画像情報判定装置は真贋を判定すべき粘着ラベルの識別記号に対応した基準画像情報だけを記憶装置から取得して、第２の画像情報との比較を行えばよい。このため判定を容易に行うことができる。
【０００８】
前記第１の画像情報取得装置により前記第１の画像情報を取得する前の前記ラベルシートに画像を形成するための画像形成装置を有していてもよい。このような構成としておけば、画像形成装置でラベルシートに画像を形成した後、直ぐに第１の画像情報取得装置にて基準画像情報を取得できる。
【０００９】
前記蛍光性物質は、前記粘着ラベルごとに異なる偶発的な配列をなし、前記粘着ラベルに含まれていることが好ましい。このような構成としておけば、同じ蛍光性物質の配列を意図的に作ろうとしても困難であり、粘着ラベルの偽造を困難にできる。
【発明の効果】
【００１０】
本発明によれば、まず、ラベルシートに対して、第１の画像情報取得装置にて第１の画像情報を取得し、この画像情報のうち、粘着ラベルに対応する領域の基準画像情報を記憶装置に記憶しておく。そして、真贋の判定をしたい粘着ラベルを第２の画像情報取得装置にかけて第２の画像情報を取得し、画像情報判定装置にてその第２の画像情報と基準画像情報が一致するか否かを判断し、一致するときに真正と判定する。これにより粘着ラベルの真贋を判定できる。また、可視光では蛍光性物質を視認できないため、粘着ラベルの模倣や偽造が困難である。さらに、粘着ラベルに蛍光性物質を含むといった比較的簡易な製造方法で偽造防止効果を付加したラベルシートを製造できるから、製造コストを低減できる。
【図面の簡単な説明】
【００１１】
【図１】ラベルシートの断面図
【図２】ラベルシートの正面図
【図３】基準画像取得装置の電気的構成を示すブロック図
【図４】真贋判定装置の電気的構成を示すブロック図
【図５】紫外光が照射された粘着ラベル（シリアルラベル）の画像を示す模式図
【図６】基準画像情報取得の処理を示すフローチャート
【図７】真贋判定の処理を示すフローチャート
【図８】実施形態２の基準画像取得装置の電気的構成を示すブロック図
【発明を実施するための形態】
【００１２】
＜実施形態１＞
本発明の実施形態１を図１ないし図７によって説明する。
（１）ラベルシートの構成
本実施形態のラベルシート６０は、図１に示すように、粘着シート６１と剥離シート６６との積層構造である。粘着シート６１と剥離シート６６とは、いずれも方形状（本実施形態においては矩形状）の紙の外縁をそれぞれ合致させることで構成されており、全体として例えばＡ４サイズの大きさで設定されている（図２）。
【００１３】
剥離シート６６は剥離基材シート６７とその一方の面に積層された剥離層６８とからなる。剥離層６８は剥離シート６６を作成する際に通常使用されるシリコーン等の剥離剤の塗布などによって形成され、剥離基材シート６７の表面全体に形成されている。
【００１４】
粘着シート６１は、文字などを印刷可能な基材シート６２と、その一方の面（本実施形態においては裏面）に積層された粘着剤層６３とからなる。基材シート６２はパルプ繊維に対して、例えば０．０５重量％〜１重量％の蛍光繊維６２Ａを混入して抄造したものである。パルプ繊維に混合された蛍光繊維６２Ａは基材シート６２の抄造工程でその位置分布が不規則に変化しているから、基材シート６２内で蛍光繊維６２Ａは偶発的な配列となる。蛍光繊維６２Ａはポリエステル繊維又はナイロン繊維を紫外光照射により蛍光発色する蛍光染料又は蛍光顔料によって着色したもので、長さは数ミリから数センチのものが好適である。なお、本実施形態では、紫外光は特許請求の範囲に記載の「可視光とは異なる波長の光」の一例であり、蛍光繊維６２Ａは特許請求の範囲に記載の「蛍光性物質」の一例である。
【００１５】
また、粘着シート６１には、基材シート６２から粘着剤層６３に達する深さの切り込みによって略矩形状に閉じた形態をなすラベル分断スリット６４が形成されている。図２に示すように、このラベル分断スリット６４に囲まれて、複数枚の粘着ラベル６０Ａが周囲から切り離し可能に形成されている。粘着ラベル６０Ａは、ラベルシート６０の短辺方向に左右一対が並んで配置されるとともにラベルシート６０の長辺方向に複数枚が整列状に並んで配置され、長辺方向に隣接するもの同士および短辺方向に隣接するもの同士は、同一のラベル分断スリット６４により間をあけることなく区画されている。粘着剤層６３は図１に示すように剥離層６８の上に重ね合わされ、両者の境界面で互いに剥離可能とされる。
【００１６】
（２）真贋判定システム
本実施形態による真贋判定システムは、基準画像取得装置１６及び真贋判定装置１７から構成されている。本実施形態では、図２で示すようにラベルシート６０の各粘着ラベル６０Ａに製品のシリアルナンバーＳ及び各粘着ラベル６０Ａに設定された識別記号Ｎ（後述）といった情報を予め印刷しておく。そして、情報が印刷された状態のラベルシート６０（以下シリアルラベルシート７０）について基準画像取得装置１６にて、各粘着ラベル６０Ａ固有の画像情報である基準画像情報（詳しくは後述）を取得する。そして、製品１９に貼り付けられた粘着ラベル６０Ａ（以下シリアルラベル７０Ａ）に対して、真贋判定装置１７にて真贋判定を行う。
【００１７】
ここで、識別記号Ｎは例えば、印刷されるラベルシート６０に固有に設定された識別番号と、ラベルシート６０内の各粘着ラベル６０Ａに設定された識別番号を組み合わせて設定される。識別番号５０番のラベルシート６０にシリアルナンバーＳを印刷した場合を例にとると、このシリアルラベルシート７０における７枚目の粘着ラベル６０Ａ（例えば図２の右上の粘着ラベル）の識別記号Ｎは０００５０−０７と設定される。
【００１８】
（２−１）基準画像取得装置の構成
図３に示すように、基準画像取得装置１６は管理コンピュータ１０に画像読取装置２０を接続して構成されている。画像読取装置２０内には、モータ２１によって駆動される複数本の搬送ローラ２２が並べられ、図示しない用紙挿入口から挿入したシリアルラベルシート７０を図面中左側から右側に向かって搬送し、装置右側の図示しない排出口から排出するようになっている。搬送ローラ２２によるラベルシート６０の搬送路に近接して、第１の画像情報取得装置４０がその搬送路に沿って設けられている。
【００１９】
第１の画像情報取得装置４０は、紫外光を照射する光源４１と、搬送されるシリアルラベルシート７０からの光を受光する第１のＣＣＤセンサ４２とを備える。光源４１は線状光源であって、シリアルラベルシート７０の搬送方向に対して直交する方向に延びるように設置されている。また、第１のＣＣＤセンサ４２はシリアルラベルシート７０の搬送方向に対して直交する方向に延びるラインセンサにより構成されており、可視光の波長領域を受光して画像信号を出力する。なお、第１のＣＣＤセンサ４２が紫外光に対しても受光特性がある場合には、受光窓に紫外線カットフィルタを設けておくことが望ましい。また、光源４１はランプ電源５１により点灯駆動される。
【００２０】
管理コンピュータ１０は、ＣＰＵ１１及び、ＣＰＵ１１と電気的に接続されたハードディスク装置１２、表示装置１３、入力装置１８（例えばキーボード）を備える。また、ＣＰＵ１１の入力ポートには、前記画像読取装置２０のＣＣＤセンサ４２からの画像信号をＡ／Ｄ変換するＡ／Ｄ変換器１４が設けられ、各画像信号がデジタル化されてＣＰＵ１１に出力される。そして、ＣＰＵ１１の出力ポートは、ランプ電源５１及びモータ２１の制御端子に接続されて、それらを制御することができる。また、記憶装置であるハードディスク装置１２には、画像読取装置２０と連係してシリアルラベルシート７０の基準画像情報を取得するためのプログラム（後述）が格納されている。
【００２１】
（２−２）真贋判定装置の構成
真贋判定装置１７は図４に示すように管理コンピュータ１１０に第２の画像情報取得装置１４０を接続して構成されている。第２の画像情報取得装置１４０は、紫外光を照射する線状光源である光源１４１と、粘着ラベルからの光を受光する第２のＣＣＤセンサ１４２とを備える。第２のＣＣＤセンサ１４２は例えば、ユーザが手に持って動かすことによりシリアルラベル７０Ａを走査する手持ち式のハンドスキャナであり、可視光の波長領域を受光して画像信号を出力する。なお、第２のＣＣＤセンサ１４２が紫外光に対しても受光特性がある場合には、受光窓に紫外線カットフィルタを設けておくことが望ましい。なお、光源１４１はランプ電源１５１により点灯駆動される。
【００２２】
管理コンピュータ１１０は、ＣＰＵ１１１及び、ＣＰＵ１１と電気的に接続されたハードディスク装置１１２、表示装置１１３、入力装置１１８（例えばキーボード）を備える。また、ＣＰＵ１１１の入力ポートには、第２のＣＣＤセンサ１４２からの画像信号をＡ／Ｄ変換するＡ／Ｄ変換器１１４が設けられ、各画像信号がデジタル化されてＣＰＵ１１１に与えられる。そして、ＣＰＵ１１１の出力ポートは、ランプ電源１５１の制御端子に接続されて、これを制御することができる。記憶装置であるハードディスク装置１１２には、第２の画像情報取得装置１４０と連係してシリアルラベル７０Ａの画像情報を取得するためのプログラムが格納されている。
【００２３】
基準画像取得装置１６及び真贋判定装置１７とは、例えば、互いに異なる場所に設置され、ケーブル又はネットワーク（インターネットを含む）を介して相互に接続されている。これにより、真贋判定装置１７が基準画像取得装置１６に記憶されたシリアルラベルシート７０の基準画像情報（後述）を取得可能な構成となっている。
【００２４】
（２−３）基準画像取得装置の処理
基準画像取得装置１６のハードディスク装置１２に格納されているプログラムを起動させると、図６に示すフローチャートに従って基準画像情報の取得が行われる。まず、ユーザは入力装置１８を操作して、基準画像情報を登録したいシリアルラベルシート７０の各シリアルラベル７０Ａに設定された識別記号Ｎを入力する（Ｓ１０）。次に管理コンピュータ１０からの信号によってランプ電源５１が駆動され、光源４１が点灯駆動されると共に、モータ２１が駆動されることで搬送ローラ２２が回転する（Ｓ２０）。
【００２５】
そこで、シリアルラベルシート７０を画像読取装置２０の用紙挿入口から差し込むと、シリアルラベルシート７０は搬送ローラ２２によって画像読取装置２０内の搬送路を図３の左側から右側に向かって搬送され、第１の画像情報取得装置４０を通過することになる。
【００２６】
第１の画像情報取得装置４０にシリアルラベルシート７０が搬送されると、光源４１（紫外光）に照らされたシリアルラベルシート７０は、セキュリティペーパーの中に混入されている蛍光繊維が紫外光を受けて蛍光（可視光）を発光するため、第１のＣＣＤセンサ４２によってその光が受光される。
【００２７】
ところで、シリアルラベルシート７０を構成している通常の紙繊維は紫外光を受けても、その一部を反射するだけであって蛍光を発しないから、紫外光に受光特性がない第１のＣＣＤセンサ４２によっては認識されない。このため、仮に、印刷がされていないシリアルラベルシート７０を第２の画像情報取得装置４０に通した場合には、第１のＣＣＤセンサ４２によって取得される画像は、蛍光繊維がシート全域に無秩序に散らばって光る画像となる。
【００２８】
一方、本実施形態では、このシリアルラベルシート７０にシリアルナンバーＳ及び識別記号Ｎを示す文字を印刷しているから、無秩序に散らばる蛍光繊維６２Ａの上にこれらの文字が重なっている。蛍光繊維６２Ａの上に文字が重なっている場合、紫外光は文字によって遮られて局部的に蛍光繊維６２Ａに照射されないことになる。このため、実際に第１のＣＣＤセンサ４２によって取得される画像は、無秩序に散らばった蛍光繊維６２Ａが発光してはいるが、蛍光繊維６２Ａに重ねて文字が印刷されている部分では、その文字によって蛍光繊維６２Ａは発光しない。
【００２９】
このため、第１のＣＣＤセンサ４２の情報は、このシリアルラベルシート７０に使用された蛍光繊維６２Ａの分散状態に依存したそのラベルシート固有の画像情報と、その上に印刷された内容（文字等）特有の画像情報とが混合した情報となる。なお、紫外光を照射した際のシリアルラベルシート７０のシリアルラベル７０Ａの画像を図５の模式図にて示す。同図は、蛍光による発光部分を黒く図示してあり、図中の円形の拡大部分では蛍光繊維６２Ａの発光が文字（ここでは印刷されたシリアルナンバーＳの一部）により局所的に遮られた状態を示している。
【００３０】
第１の画像情報取得装置４０によって、シリアルラベルシート７０から上述のように、紫外光光源による第１の画像情報が取得されると（Ｓ３０）、シリアルラベルシート７０は装置右側の図示しない排出口から排出され、その後ランプ電源５１をＯＦＦさせて光源４１を消灯させると共にモータ２１を停止させることで搬送ローラ２２を停止させる（Ｓ４０）。
【００３１】
次に、ＣＰＵ１１は取得された第１の画像情報（ラベルシート全体の画像）について画像処理を行い各粘着ラベル６０Ａに対応した領域（例えば粘着ラベル６０Ａの全体領域）をそれぞれ切り出す。切り出された各粘着ラベル６０Ａに対応する領域の画像は所定形式の画像ファイル（基準画像情報）として、先に入力された各識別記号Ｎと対応付けられてデータベースを構成し、ハードディスク装置１２に記録される（Ｓ５０）。なお、第１の画像情報から各粘着ラベル６０Ａに対応した領域を切り出す際には、例えば、ラベルシート６０のサイズ、及びラベルシート６０に形成されたラベル分断スリット６４の形成箇所の座標データを予めハードディスク装置１２に記憶しておき、これらに基づいて各ラベル６０Ａの領域を特定すればよい。また、データベースを構成するレコードは画像情報の登録毎に１つ作成され、各レコード毎に基準画像情報を記録するフィールドと、対応する識別記号Ｎを記録するフィールドとが含められている。
【００３２】
Ｓ５０の処理が完了した後、基準画像情報の登録を終了するか否かが表示装置１３に表示され、登録を終了しないことが選択された場合にはＳ１０に戻って次のシリアルラベルシート７０について基準画像情報の登録が繰り返し行われ、登録を終了することが選択されると、この基準画像情報取得のプログラムが終了する。
【００３３】
（２−４）真贋判定装置の処理
真贋判定装置１７にて、製品１９に貼り付けられたシリアルラベル７０Ａに対して真贋判定を行うには次のようにする。システムを起動させると図７のフローチャートに示す真贋判定プログラムが実行される。
【００３４】
まず、ユーザは入力装置１１８により、シリアルラベル７０Ａに印刷された識別記号Ｎを入力する（Ｓ７０）。次に、ＣＰＵ１１１は光源１４１を稼動させ、紫外光をシリアルラベル７０Ａに照射する。この状態でユーザは第２のＣＣＤセンサ１４２をシリアルラベル７０Ａに対して走査させることで第２の画像情報を取得する（Ｓ９０）。
【００３５】
次に、ＣＰＵ１１１は、基準画像取得装置１６のハードディスク装置１２に記憶されているデータベース情報を読み取り、データベースを構成するレコード群の中から、Ｓ７０の処理により入力された識別記号Ｎに対応するシリアルラベル７０Ａの基準画像情報を取得する。そして、第２の画像情報と基準画像情報とを比較して、両者が一致するかどうかを判定する（Ｓ１００）。両者が一致する場合は表示装置１３に「真正」との表示がされる（Ｓ１１０）。なお、ここで、画像情報の一致は、完全一致ではなく、シリアルラベル７０Ａに付着する汚れや光源４１、１４１やＣＣＤセンサ４２、１４２の劣化度合い等を考慮して、ある範囲内の相違を許容した同一性を見ることとする。
【００３６】
第２の画像情報と基準画像情報とが一致しない場合は、表示装置１１３に「偽」の表示がなされる（Ｓ１２０）。このような判定がされる例としては、シリアルラベル７０Ａに印刷されているシリアルナンバーＳ又は識別記号Ｎがオリジナルとは異なるように改ざんされている場合や、シリアルラベル７０Ａとは異なるシリアルラベルに対してオリジナルと同じシリアルナンバーＳ及び識別記号Ｎが印刷されている場合などがある。
【００３７】
以上のように、本実施形態では、シリアルラベル７０Ａに対して、紫外光による基準画像情報を取得し、これを記憶しておく。そして、判定すべきシリアルラベルに対して、紫外光による画像情報を取得し、基準画像情報と一致するか否かを判定することでその真贋を判定することができる。また、可視光では蛍光性物質を視認できないため、シリアルラベル７０Ａの模倣や偽造が困難である。
【００３８】
また、シリアルラベル７０Ａには、蛍光繊維６２Ａが抄きこまれているから、紫外光による基準画像はシリアルラベル７０Ａ毎に異なった蛍光性物質の偶発的配列が反映された画像となる。このため、同じ蛍光性物質の配列を有するシリアルラベルを意図的に作ることは困難であり、シリアルラベルの偽造を困難にできる。
【００３９】
また、基材シート６２はパルプ繊維に蛍光繊維６２Ａを混入して抄造するといった比較的簡易な製造方法で偽造防止効果を付加したラベルシートを製造できるから、製造コストを低減できる。
【００４０】
また、ハードディスク装置１２には、各シリアルラベル７０Ａに対応した識別記号Ｎ及び基準画像情報とが対応づけて記憶されている。このような構成としておけば、真贋判定装置１７のＣＰＵ１１１は真贋を判定すべきシリアルラベル７０Ａの識別記号Ｎに対応した基準画像情報だけをハードディスク装置１２から取得して、第２の画像情報との比較を行えばよい。このため判定を容易に行うことができる。
【００４１】
＜実施形態２＞
本発明の実施形態２を図８によって説明する。実施形態１と同一部分には、同一符号を付して重複する説明を省略し、異なるところについてのみ説明する。実施形態２における真贋判定システムは、実施形態１の基準画像取得装置１６に加えて画像形成装置としての周知のレーザ印刷装置９１と、そのレーザ印刷装置９１に印刷用紙を供給する用紙トレイ９２とを設けており、実施形態１の管理コンピュータ１０を含めて全体が一つの筐体に納められている。なお、ハードディスク装置１２には、上記レーザ印刷装置９１を制御して用紙に所望の文字・画像を形成するための印刷制御プログラムが格納されている。また、用紙トレイ９２には予めラベルシート６０が複数枚セットされている。
【００４２】
この実施形態２の真贋判定システムは、印刷機能を有する複合機として構成されている。これによれば、レーザ印刷装置９１によってラベルシート６０に例えばシリアルナンバーＳ、識別記号Ｎ等を印刷し、その後、直ちに第１の画像情報取得装置４０によってそのラベルシート６０（シリアルラベルシート７０）の基準画像情報を取得して自動的にハードディスク装置１２に記憶することができる。
【００４３】
＜他の実施形態＞
本発明は上記記述及び図面によって説明した実施形態に限定されるものではなく、例えば次のような実施形態も本発明の技術的範囲に含まれる。
【００４４】
（１）上記実施形態では、蛍光性物質として、紫外光によって蛍光を発する物質を例示したが、これに限らず、赤外線によって蛍光を発する蛍光性物質を用いても良く、要するに可視光とは異なる波長の光（電磁波）によって蛍光を発するものであればよい。
【００４５】
（２）上記実施形態では、粘着ラベル６０ＡにシリアルナンバーＳを印刷し、シリアルラベルとして使用する例を示したが、これに限定されない。例えば、粘着ラベル６０Ａを再接着不能なセキュリティシールとして用いてもよい。具体的には、粘着ラベル６０Ａの粘着剤層６３と基材シート６２の間にフィルムを挟み込み、基材シート６２とフィルムは剥離可能に設定し、粘着剤層６３とフィルムとを剥離不能に設定しておく。このようにしておけば、一度貼り付けた粘着ラベル６０Ａを剥がした場合、フィルム及び粘着剤層６３が貼付対象に残るため再接着不能となる。
【００４６】
この粘着ラベル６０Ａで封止されている封筒などに対して、第３者が粘着ラベル６０Ａを剥がし不正に開封した場合、不正開封を隠蔽するために同じ種類の粘着ラベル６０Ａを貼りなおすことが想定される。しかし、粘着ラベル６０Ａ内の蛍光繊維の配列は粘着ラベル６０Ａごとに異なっているから、元々貼られていた粘着ラベル６０Ａでないことを判別可能である。このため、不正開封を抑止できる。
【００４７】
（３）上記実施形態では、真贋判定システムを基準画像取得装置１６と真贋判定装置１７との２台の装置から構成したが、これに限定されない。例えば、基準画像取得装置１６に真贋判定のプログラムを格納しておけば、基準画像取得装置１６だけで、基準画像情報の取得及び真贋の判定を行うことが可能である。
【００４８】
（４）上記実施形態では、粘着ラベル６０Ａの全体領域を切り出して基準画像情報としたが、粘着ラベル６０Ａの一部の領域だけを切り出して基準画像情報としてもよい。例えば、粘着ラベル６０Ａの非印字領域だけを切り出して基準画像情報とし、真贋判定装置では同領域について第２の画像情報を取得すればよい。このようにすれば、基準画像情報に対応する領域では、蛍光繊維６２Ａに重ねて文字が印刷されることがないから、印刷前のラベルシート６０に対して基準画像情報を取得し、印刷後の第２の画像情報との真贋の判定を行うことが可能である。
【００４９】
（５）上記実施形態では、基準画像情報を記憶するための記憶装置としてハードディスク装置１２を使用したが、代わりの記憶装置として、例えばフレキシブルディスク、光ディスク、光磁気ディスク、不揮発性のメモリカード等を使用してもよい。
【００５０】
（６）上記実施形態では、シリアルラベルシート７０に紫外光を照射して取得した画像情報によって真贋の判定を行った。この紫外光による判定に加えて、シリアルラベルシート７０に可視光を照射して取得した画像情報による真贋の判定を行ってもよい。具体的には、基準画像取得装置１６に可視光源を設置し、可視光を照射して取得した基準画像情報を識別記号Ｎと対応づけてハードディスク装置１２に記憶させておく。一方、真贋判定装置１７にも可視光源を設置し、真贋を判定すべきシリアルラベル７０Ａに可視光を照射して画像情報を取得する。そして、取得した画像情報とハードディスク装置１２に記憶した基準画像情報とで真贋の判定を行う。
【００５１】
このようにしておけば、可視光と紫外光との２種類の画像情報に基づいてついてそれぞれ同一性の判定を行うことができる。このため、それぞれの判定において、例えばシリアルラベル７０Ａに付着する汚れや各装置１６、１７の光源光量やＣＣＤセンサ４２、１４２の感度の変動等を考慮して判定基準を下げたとしても、２種類の判定を行うことで、正確な真贋判定を行うことができる。
【００５２】
（７）上記実施形態では、各粘着ラベル６０Ａに対応した識別記号Ｎと基準画像情報とを対応付けてハードディスク装置１２に記憶させる構成としたが、これに限定されない。例えば、基準画像情報のみをハードディスク装置１２に記憶させる構成としてもよい。この構成の場合、真贋判定装置１７のＣＰＵ１１１は、ハードディスク装置１２に記憶された基準画像情報の中から第２の画像情報と一致する基準画像情報を検索し、一致する画像情報があるか否かを判定すればよい。
【００５３】
（８）上記実施形態では、粘着ラベル６０Ａの基材シート６２をパルプ繊維と蛍光繊維６２Ａとから形成する例を示したが、これに限定されない。例えば、基材シート６２を例えばポリオレフィン樹脂等から製造したプラスチックフィルムとし、そのプラスチックフィルムに蛍光性物質を混入させた構成としてもよい。この場合の蛍光性物質としては、繊維や粉粒体として混入してもよい。あるいは、フィルム基材の樹脂とは溶け合わない別種の樹脂を蛍光染料によって染色しておき、プラスチックフィルムの製造時に上記の蛍光性の樹脂を混練しつつフィルム化すれば、蛍光性の樹脂がフィルム基材の樹脂中で偶発的な模様を形成することになる。この項目（８）で述べた製法によれば、次のようなラベルシートが得られる。すなわち、基材シートの一方の面に粘着剤層が形成されてなる粘着ラベルと、剥離層が前記粘着剤層に重ねられた剥離シートとを備えるラベルシートであって、前記基材シートがプラスチックフィルムであって、そのプラスチックフィルムには可視光とは異なる波長の光の照射により目視可能となる蛍光性物質が偶発的な配列をなして含まれているラベルシート。
【００５４】
（９）上記実施形態では、粘着ラベル６０Ａの基材シート６２に蛍光繊維６２Ａを混入した例を示したが、このように蛍光性物質を基材シート自体に含ませるに限らず、基材シートと粘着剤層との間に含ませることができる。そのためには、例えばポリビニルアルコール溶液に所定量の蛍光繊維を混入した塗工液を準備しておき、その塗工液を基材シート（透光性のプラスチックフィルムが好ましい）の一方の面にロールコータ等によって塗工して蛍光繊維が偶発的な配列をなして含まれる層を形成し、その上に粘着剤層を形成する。また、離型性のベースフィルムの表面に粘着剤層を形成し、ついでその粘着剤層の表面に蛍光繊維や蛍光性の粉粒体を散布し、その面に基材シートを重ね合わせて圧着し、ついで前記ベースフィルムを剥がして代わりに剥離シートを重ねる。或いは、例えば、基材シートを帯電させ、静電気によって基材シートに蛍光繊維を吸着させた後、蛍光繊維を覆うように粘着剤層を形成する。
この項目（９）に記載した製法によれば、次のようなラベルシートが得られる。すなわち、基材シートの一方の面に粘着剤層が形成されてなる粘着ラベルと、剥離層が前記粘着剤層に重ねられた剥離シートとを備えるラベルシートであって、前記基材シートと前記粘着剤層との間には、可視光とは異なる波長の光の照射により目視可能となる蛍光性物質が偶発的な配列をなして含まれているラベルシート。
【００５５】
（１０）また、蛍光性物質は、粘着剤層に混入させても良い。これは例えば、粘着剤に蛍光性物質を混入しておき、これを基材シート表面に塗工するという製法により製造できる。これによれば、次のようなラベルシートが得られる。すなわち、基材シートの一方の面に粘着剤層が形成されてなる粘着ラベルと、剥離層が前記粘着剤層に重ねられた剥離シートとを備えるラベルシートであって、前記粘着剤層内には、可視光とは異なる波長の光の照射により目視可能となる蛍光性物質が偶発的な配列をなして含まれているラベルシート。
【００５６】
（１１）上記実施形態では、識別記号Ｎを数字で設定した例を示したが、これに限定されない。識別記号は要するに各粘着ラベル６０Ａを識別できる固有の記号であればよく、例えばアルファベットやその他の記号又はそれらを組み合わせて設定してもよい。
【符号の説明】
【００５７】
１２…ハードディスク装置（記憶装置）
１６…基準画像取得装置
１７…真贋判定装置
４０…第１の画像情報取得装置
６０…ラベルシート
６０Ａ…粘着ラベル
６２…基材シート
６２Ａ…蛍光繊維（蛍光性物質）
６３…粘着剤層
６６…剥離シート
６８…剥離層
９１…レーザ印刷装置（画像形成装置）
１１１…ＣＰＵ（画像情報判定装置）
１４０…第２の画像情報取得装置
Ｎ…識別記号
【図１】
2010182249.tif 000003
【図２】
2010182249.tif 000004
【図３】
2010182249.tif 000005
【図４】
2010182249.tif 000006
【図５】
2010182249.tif 000007
【図６】
2010182249.tif 000008
【図７】
2010182249.tif 000009
【図８】
2010182249.tif 000010